(57)【特許請求の範囲】
【請求項１】
体腔内の観察対象部位を撮像する撮像素子と、
この撮像素子で得られた前記観察対象部位の電気信号を映像信号に変換する信号処理回路と、
前記撮像素子及び信号処理回路に電力を供給する充電式のバッテリと、
前記バッテリを充電する充電回路と、
を有する内視鏡と、
前記内視鏡とは別体に構成されたアンテナ、受信部及び電磁トランスの１次側巻線と前記内視鏡に構成された前記電磁トランスの２次側巻線とを有し、前記アンテナによって受信した電磁波から前記受信部の復調によって電気信号を得、前記受信部からの電気信号を前記電磁トランスの１次側巻線に供給することで、前記電磁トランスの２次巻線から誘導起電力を発生させるエネルギ変換手段と、
前記エネルギ変換手段によって得られた誘導起電力を前記充電回路に与えて前記バッテリを充電する充電エネルギ供給手段と、
を有することを特徴とする内視鏡装置。
【発明の詳細な説明】
【０００１】
【発明の属する技術分野】
本発明は充電式バッテリで駆動する内視鏡装置に関する。
【０００２】
【従来の技術】
処置具と内視鏡とをそれぞれ別個に患者の体腔内に挿入し、体腔内に挿入された処置具の先端部分の画像を内視鏡の観察視野内に捉え、処置具による患者の処置状態を内視鏡によって観察しながらその作業を行う内視鏡下の手術が一般に知られている。
【０００３】
また、内視鏡装置はＣＣＤ等の撮像素子を内蔵した電子内視鏡や術者の観察部に電荷結合素子（ＣＣＤと略記）等の撮像素子を組み込んだ撮像ユニットを装着する硬性鏡等と内視鏡内部の光ファイバを介して体腔内を照明する光源部と、ＣＣＤ等撮像素子で得られた画像を処理し、モニタや記録装置に出力するプロセッサ部からなる。
【０００４】
特開平６−３３５４５０号では、内視鏡内の各回路に電力を供給する太陽電池パネル及び太陽電池が示されているが、その構成については言及されていない。また、特開平９−２８５４４３号では、小型照明ランプとバッテリを用い、携帯が可能になる小型軽量化、低消費電力化の内視鏡が示されているが、バッテリの充電方法については言及されていない。
【０００５】
また、一次電池を電源とする携帯内視鏡もあるが、一次電池が故に電池寿命があり、電池の交換が煩わしいとか、必要な時に交換のための電池が手元にないとか、電池が高価であるとかの問題点があった。
また、特開昭６０−４８０１１号では、撮像素子からの電気信号を映像信号に変換した後に変調手段にて変調後送信アンテナを通して送信する手段が示されている。
【０００６】
この従来例の構成を図６及び図７（Ａ）、（Ｂ）を参照して説明する。
図６に示すように従来例の内視鏡６０は体腔内に挿入される挿入部６１と、この挿入部６１の後端の操作部６２とから構成されている。挿入部６１は金属部材または可撓性部材で構成されていて、その内部は２つの部分Ａ、Ｂに仕切られ、一方が撮像側Ａ、他方が光源側Ｂとされている。
【０００７】
挿入部６１の撮像側Ａは、先端に撮影レンズ６３を備え、この撮影レンズ６３を通して入射される光学像をＣＣＤなどの撮像素子６４で受光し、変換された電気信号を信号リード６５を通して操作部６２の電気回路へ送るように構成され、また、挿入部６１の光源側Ｂは、先端に照射レンズ６６を備え、その後方に配設された光源部６７から被観察部へ光を照射するように構成されている。
【０００８】
光源部６７は、発光ダイオードやランプで構成され、リード線６８を通して操作部６２の光源駆動部６９に接続されている。一方、操作部６２は、その内部に光源駆動部６９の他に、信号変換部７０、変調部７１、送信部７２が配設されていて、撮像素子６４からの電気信号は信号変換部７０で映像信号に変換された後、変調部７１でこの信号によって高周波電流を振幅変調して送信部７２へ送り、アンテナ７３より電波２４として送信するように構成されている。
【０００９】
また、信号変換部７０には、液晶モニタ等の小型のモニタ部７５が接続され、変調部７１には、パネル操作部７６が接続されている。
【００１０】
パネル操作部７６はキャラクタ信号入力用のキーボード、シャッタレリーズ用釦や受信側のフレームメモリを動作させて静止画を写し出すためのフリーズ用釦を備えている。上記光源駆動部６９、信号変換部７０、変調部７１、送信部７２、モニタ部７５は電池等の内部電源７７に接続され、この内部電源７７によって駆動される。尚、モニタ部７５はなくても良く、また、内部電源７７の代わりに外部電源によって駆動するように構成する事も可能である。
【００１１】
このように構成された内視鏡６０では、挿入部６１が生体体腔内に挿入され、光源部６７より照射された光が被観察部に当てられると、撮像素子６４は被観察部からの光を受光する。
【００１２】
信号変換部７０では、撮像素子６４で受光された光の像を受信側での画面の組立に便利なように規則正しく分解しながら映像信号に変化してゆき、分解の状況を示す同期信号を加えて変調部７１へ送る。変調部７１は、送られてきた映像信号にパネル操作部７６からの信号も加算し、この映像信号によって予め発生してある高周波信号を振幅変調する。そして、変調された高周波信号は、送信部７２で増幅されてアンテナ７３より電波２４として送信される。
【００１３】
尚、変調部７１における変調方式は周波数変調であっても良く、この場合は、受信装置がＦＭ復調出来る構成となっていれば良い。また、パネル操作部７６による操作機能は受信側のパネル操作部８３だけに装備させた構成とする事も可能である。このようにして、送信されてきた電波２４は、図７（Ａ）に示す受信装置４にて受信される。
【００１４】
図７（Ａ）に示すように、受信装置４は電波２４がアンテナ７８に入射されると、これを受信部７９で選択増幅し、復調部８０でＡＭ検波して復調し、信号変換部７０で作られたのと同様な映像信号として取り出され、ビデオプロセス部８１を経て大型のモニタ部８２に加えられ、ここで、電気信号を再び光に変換して光の像を再現する。
【００１５】
ビデオプロセス部８１は、主に、フレームメモリで構成されていて、各種信号処理を行うもので、モニタ部８２で映像信号を光に換えて送られてきた映像を再現させるために、映像信号と一緒に送られてきた同期信号を分離してブラウン管の偏向装置を制御し、送信側で行われる光の像の分解状態と歩調を揃えている。また、ビデオプロセス部８１にはパネル操作部８３が接続されていて、パネル操作部７６と同様な操作を行えるキーボードや釦が配置されている。
【００１６】
図７（Ａ）に示した受信装置４は、大型のモニタ部８２を有しているので、特に、医用として使用する場合、持ち運びに不便であるため、往診等を行う時は、図７（Ｂ）に示す受信装置５として家庭用テレビジョン受像機を使用して表示しても良い。この場合は、テレビジョン受像機の空チャンネルの周波数を利用してに表示出来るように、テレビジョン電波の搬送波周波数に設定すれば良い。
【００１７】
【発明が解決しようとする課題】
上記従来例は、回路に電力を供給する内部電源７７については言及されていない。従って、例えば内部電源７７で使用した場合、そのエネルギが無くなってしまうような場合などに対する対処方法が不明である。
【００１８】
（発明の目的）
本発明は、上述した点に鑑みてなされたもので、小型軽量で携帯性、経済性に優れた内視鏡装置を提供することを目的とする。
【００１９】
また、内視鏡検査の環境に応じて機能を選択使用できる使い勝手が良い内視鏡装置及び内視鏡を提供することも目的とする。
【００２０】
本発明の内視鏡装置は、体腔内の観察対象部位を撮像する撮像素子と、この撮像素子で得られた前記観察対象部位の電気信号を映像信号に変換する信号処理回路と、前記撮像素子及び信号処理回路に電力を供給する充電式のバッテリと、前記バッテリを充電する充電回路と、を有する内視鏡と、前記内視鏡とは別体に構成されたアンテナ、受信部及び電磁トランスの１次側巻線と前記内視鏡に構成された前記電磁トランスの２次側巻線とを有し、前記アンテナによって受信した電磁波から前記受信部の復調によって電気信号を得、前記受信部からの電気信号を前記電磁トランスの１次側巻線に供給することで、前記電磁トランスの２次巻線から誘導起電力を発生させるエネルギ変換手段と、前記エネルギ変換手段によって得られた誘導起電力を前記充電回路に与えて前記バッテリを充電する充電エネルギ供給手段と、を有することを特徴とする。
【００２１】
【発明の実施の形態】
以下、図面を参照して本発明の実施の形態を説明する。
（第１の実施の形態）
図１及び図２は本発明の第１の実施の形態に係り、図１は第１の実施の形態の内視鏡装置の構成を示し、図２はパネル操作部での操作により内視鏡検査の環境に応じて選択設定できる動作モードの説明図を示す。
【００２２】
図１に示す内視鏡装置１は内視鏡２と、この内視鏡２の例えば腹腔内への刺入ガイド部材としてのトラカール３と、図７（Ａ）の受信装置４又は図７（Ｂ）の受信装置５とから構成される。
内視鏡２は細長の挿入部６と、この挿入部６の後端に設けられた操作部７とを有する。
この内視鏡２の挿入部６は腹腔内に刺入するためのガイド部材としてのトラカール（より具体的にはトラカール外針）３の中空部内に挿通される。
【００２３】
この内視鏡２の挿入部６の先端部には照明用の光源として例えば発光ダイオード（ＬＥＤと略記）１１と、このＬＥＤ１１に対向する照明窓に取り付けられ、発光した光を拡開して出射する凹レンズからなる照明レンズ１２とが設けてある。
【００２４】
このＬＥＤ１１は操作部７内に設けたＬＥＤ駆動部１３からの駆動信号の印加により発光する。本実施の形態では、このＬＥＤ１１は白色発光をする白色発光ダイオード（白色発光ＬＥＤ）である。この白色発光ＬＥＤは、青色で発光する青色発光ＬＥＤチップと、その発光面側に配置された白色蛍光部材とからなり、青色発光ＬＥＤチップで発光した青色の光を白色蛍光部材を通すことにより白色光を得ることができるようにしている。
上記ＬＥＤ１１の光が照明レンズ１２を介して体腔内の被観察部１４側に照射され、被観察部１４側を照明する。
【００２５】
そして、被観察部１４の光学像は、挿入部６の先端部に、照明窓に隣接して設けた観察窓（或いは撮像窓）に取り付けた対物レンズ１５により、その結像位置に配置されたＣＣＤ１６に結像され、このＣＣＤ１６により光電変換される。
【００２６】
このＣＣＤ１６は操作部７内に設けたＣＣＤ駆動部１８からのＣＣＤ駆動信号の印加により蓄積された信号電荷が読み出されて、ＣＣＤ出力信号となり、操作部７内の信号処理部１９に入力される。
【００２７】
この信号処理部１９により、標準的な映像信号に変換されて、操作部７に設けた液晶表示モニタ（ＬＣＤと略記）２０に入力されると共に、変調部２１に入力される。
この変調部２１により、標準的な映像信号は変調された後、送信部２２に入力され、増幅された後、操作部７から延出されたアンテナ２３から電波２４として放射される。
【００２８】
また、操作部７内には充電式のバッテリ２５、つまり充電可能なニッケル・水素電池、リチュウム電池等の二次電池が設けてあり、このバッテリ２５はパネル操作部２６を介して、ＬＥＤ駆動部１３、ＣＣＤ駆動部１８、信号処理部１９、ＬＣＤ２０、変調部２１、送信部２２にその動作に必要な電力を供給する。
【００２９】
上記充電式のバッテリ２５は操作部７のバッテリ収納室内に収納され、このバッテリ収納室の外面に設けた蓋２７を開閉してこのバッテリ２５を交換して使用できるようにしている。つまり、このバッテリ２５の電気エネルギが消耗したような場合とか、このバッテリ２５を充電して繰り返し使用して、繰り返しの充電によりほぼ寿命に達したような場合には新しいバッテリ２５に交換して使用できるようにしている。
【００３０】
また、操作部７にはこのバッテリ２５を充電する充電端子２８が設けてあり、専用の充電器２９の充電用出力プラグ２９ａを接続することにより、逆流防止用ダイオード３０を介して操作部７内に収納したバッテリ２５を充電することができるようにしている。
【００３１】
また、この本実施の形態ではトラカール３の先端部側には、照明窓から出射され、被観察部１４側での反射光を受光して起電力を発生する太陽電池パネル３１が設けてあり、この太陽電池パネル３１で発生した起電力は伝送線３２を介してその後端側に伝送され、出力端３３から接続線３４を介して操作部７に設けた端子３５から操作部７内の充電部３６に入力され、この充電部３６によりバッテリ２５を充電するに適した直流電圧及び電流にされ、逆流防止用ダイオード３７を介してバッテリ２５を充電することができるようにしている。
【００３２】
上記太陽電池パネル３１はトラカール３の先端側の円環状の先端面と、その内周面及び外周面に設けてあり、照明に用いた光エネルギを太陽電池パネル３１により受光して電気エネルギに変換して充電部３６を介してバッテリ２５を充電する構成とすることにより、バッテリ２５による照明に用いたエネルギの一部を回収して、バッテリ２５による使用可能な時間を延長して長時間での使用を可能にしている。
【００３３】
また、充電式のバッテリ２５を採用しているので、充電することにより繰り返しの使用が可能であり、充電式でない一次電池を採用した場合よりも経済性を向上している。
【００３４】
なお、充電部３６は太陽電池パネル３１からの出力電圧を受けて充電電力を生成するため、太陽電池パネル３１からの出力電圧が０かこれと殆ど同じ電圧の場合には動作しない。
【００３５】
また、本実施の形態では、内視鏡検査を行う機能を内視鏡２に設けているので、内視鏡検査を行う内視鏡装置を小型軽量化して、携帯して内視鏡検査を行うことができる。
【００３６】
また、本実施の形態では、内視鏡検査を行う使用環境に応じて、その環境に適した動作モードを選択して行うことができるようにして良好な使い勝手或いは操作性を確保している。換言すると、特に商用電源を使用できないような環境では、バッテリ２５による単位時間当たりの電気エネルギの消費量を複数段階で小さくできるようにして、そのような環境でも長時間の使用を可能にする動作モード選択設定手段を設けている。
【００３７】
例えば商用電源を利用できる環境の場合には、充電器２９を用いて内視鏡検査を行うことができる。この場合には、バッテリ２５のみで使用した場合における電気エネルギの消費量或いは使用時間を気にすることなく行うことができ、術者はパネル操作部２６の設定を例えば標準の動作モードの設定を選択して行うことができる。
この場合の変調部２１、送信部２２、ＬＣＤ２０、ＬＥＤ１１、ＣＣＤ駆動部１３の動作／非動作（ＯＮ／ＯＦＦ）状態を図２（Ａ）に示す。
【００３８】
この動作モードでは変調部２１及び送信部２２に動作に必要な電源を供給して動作状態（図２ではＯＮ）にし、またＬＣＤ２０は使用する場合にはＯＮ、使用しない場合にはＯＦＦにする。また、ＬＥＤ１１は連続発光（常時発光）させ、これに対応して、ＣＣＤ駆動部１３は通常の撮像周期（１フレームの撮像を１／３０秒で行う）でＣＣＤ駆動信号をＣＣＤ１６に印加する。
【００３９】
このモードは通常の使用モードで、各回路部の電気エネルギの消費をあまり気にすることなく行うことができ、例えば図７（Ａ）の受信装置４等で内視鏡画像を表示させて、内視鏡検査を行うことができる。
【００４０】
また、商用電源を利用できないような屋外などの環境で内視鏡検査を行う必要があるような環境では、術者はパネル操作部２６を操作して、その環境における内視鏡検査に必要な回路のみを動作させるような動作モードに選択設定して使用することができる。
【００４１】
図２（Ｂ）〜（Ｄ）はバッテリ２５の電気エネルギの消費を抑制して内視鏡検査を行うことができるモードを示す。例えば図２（Ｂ）では変調部２１及び送信部２２をＯＦＦにして、ＬＣＤ２０に表示される画像を観察して内視鏡検査を行うモードを示す。
【００４２】
この場合、照明に用いた光エネルギを太陽電池パネル３１で受光して、直流の電気エネルギに変換し、さらに充電部３６を介して充電式のバッテリ２５を充電するようにしているので、バッテリ２５の実際のエネルギ消費を低減できる。
【００４３】
この状態で、さらにバッテリ２５の電気エネルギの消費を抑制して内視鏡検査を行う必要がある場合には、図２（Ｃ）に示すようにＬＥＤ１１の発光を通常の連続発光から間欠発光に切り替える。例えば２フレーム周期で、その１フレーム期間は発光し、残りの１フレーム期間は消灯する。消灯した１フレーム期間の画像は信号処理部１９のメモリに格納した１フレーム前の画像を繰り返し出力するようにする。
この場合には、内視鏡画像の撮像速度は通常の１／２になるが、画質は低下することなく行える。
【００４４】
また、さらにバッテリ２５の電気エネルギの消費を抑制して内視鏡検査を行う必要がある場合には、図２（Ｄ）のモードで使用する。この場合には図２（Ｃ）のモードと同様にＬＥＤ１１の発光を通常の連続発光から間欠発光に切り替える。
【００４５】
この場合には、例えば３フレーム周期で、その１フレーム期間は発光し、残りの２フレーム期間は消灯する。消灯した２フレーム期間の画像は信号処理部１９のメモリに格納した１フレーム或いは２フレーム前の画像を繰り返し出力するようにする。
この場合にはよりバッテリ２５の電気エネルギの消費を抑制して内視鏡検査を行うことができ、より長時間の内視鏡検査を行うことができる。
【００４６】
このように本実施の形態では、使用環境に応じて使用形態を変更して内視鏡検査を行うことができる内視鏡装置１を構成していると共に、特にバッテリ２５のエネルギ消費を抑制して内視鏡検査を行うことが必要な場合、照明に用いた光エネルギを太陽電池パネル３１で受光して、直流の電気エネルギに変換し、さらに充電部３６を介して充電式のバッテリ２５を充電するようにしているので、バッテリ２５のエネルギ消費を抑制して長時間の使用が可能となる。
【００４７】
また、内視鏡検査するために照明する光源としてのＬＥＤ１１等の照明光学系とＬＥＤ１１を発光させる駆動回路と、照明された観察対象部位を撮像する撮像素子としてのＣＣＤ１６を内蔵すると共に、ＣＣＤ１６で撮像した信号から映像信号を生成する信号処理回路１９と、低消費電力で内視鏡画像を表示するＬＣＤ２０等を内視鏡２に設けているので、内視鏡検査を行う内視鏡装置を小型かつ軽量で携帯に適したものを実現できる。
【００４８】
また、充電式のバッテリ２５を内蔵しているので、屋外等の商用電源を使用できない環境でも内視鏡検査を行うことができる。
さらに、光源としてのＬＥＤ１１の発光を間欠発光で抑制する等することにより、画質自体の低下は殆どなく、よりバッテリ２５のエネルギ消費を抑制して長時間の内視鏡検査を行うこともできる。
【００４９】
この他に、特に電気エネルギを消耗させる光源駆動系に対し、例えばＬＥＤ１１を間欠発光の他に、その発光強度を小さくし、信号処理部１４での増幅度を大きくして、明るい内視鏡画像が得られるようにしても良い。
【００５０】
（第２の実施の形態）
次に本発明の第２の実施の形態を図３を参照して説明する。第１の実施の形態と異なる点のみを説明する。
図３に示すように挿入部６の先端部には円筒形状に突出するフード部材４１が設けられ、このフード部材４１の内周面には照明レンズ１２から出射される光を受光して電気エネルギを発生する手段が設けられている。
【００５１】
例えばフード部材４１の内周面には照明レンズ１２から出射される光を受光する太陽電池パネル３１が設けられると共に、この太陽電池パネル３１に対向するフード部材４１の内周面位置には照明レンズ１２から出射した光を反射するレンズ状反射部材４２が設けてあり、このレンズ状反射部材４２で反射し、太陽電池パネル３１に集光するようになっている。
【００５２】
太陽電池パネル３１は伝送線３２を介して操作部７内の充電部３６に接続される。その他は第１の実施の形態と同様である。
【００５３】
本実施の形態では、内視鏡２の挿入部６の先端部から出射される照明光の一部をレンズ状反射部材４２で反射し、太陽電池パネル３１に集光して受光させ、そ光で起電力を発生し、第１の実施の形態と同様にバッテリ２５を充電するようになっている。
【００５４】
なお、レンズ状反射部材４２としては、ミラー、プリズムその他の手段で構成しても良いし、フード部材４１の内周面全体に太陽電池パネル３１を設けるようにしても良い。
尚、レンズ状反射部材４２等或いはフード部材４１を挿入部６の先端に対し、着脱自在に構成しても良い。
【００５５】
本実施の形態によれば、トラカール３を使用しない内視鏡２の場合にも、第１の実施の形態と同様に照明光の一部を太陽電池パネル３１に導き、バッテリ２５を充電するようにしているので、その電気エネルギの消耗を抑制でき、長時間の使用が可能になる効果がある。
【００５６】
（第３の実施の形態）
次に本発明の第３の実施の形態を図４及び図５を参照して説明する。図４に示すように内視鏡２の外部には、高周波発振回路５８と送信部５１が設けてあり、この送信部５１で高周波発振回路５８の出力する高周波信号を変調して、アンテナ５２により、電波として送信する。
【００５７】
一方、内視鏡側には、その操作部７から延出されたアンテナ２３に接続した受信部５３が操作部７内に設けてあり、この受信部５３で前記変調信号を受信し、復調して起電力発生部５４に出力する。
【００５８】
この起電力発生部５４は、例えば図５に示すように電磁トランス５５で構成され、その１次巻線の端子ａ，ｂに復調された信号が印加され、２次巻線の端子ｃ，ｄに誘導起電力を発生させる。この起電力発生部５４の出力信号は充電部５６に入力され、この充電部５６の充電用の直流出力は逆流防止用ダイオード５７を介して充電式のバッテリ２５に印加され、充電するようにしている。
【００５９】
ここで、電磁トランス５５に高周波の分離型のトランスを用い、このトランスの１次側、受信部５３およびアンテナ５２を内視鏡２とは別体とし、送信部５１からの電波をより有効的に受信できるような大きさの構成とし、このトランスの１次側を、内視鏡２に内蔵されている２次側に接近・対向させることにより、より効率的に充電することが可能となる。
その他は第１或いは第２の実施の形態と同様の構成である。
【００６０】
本実施の形態によれば、送信部５１からの電磁波を受信して、バッテリ２５を充電するようにしているので、バッテリ２５による電気エネルギの消耗を抑制でき、長時間の内視鏡検査が可能になる。
【００６１】
［付記］
１．体腔内の観察対象部位を撮像する撮像素子と、
この撮像素子で得られた前記観察対象部位の電気信号を映像信号に変換する信号処理回路と、
前記撮像素子及び信号処理回路に電力を供給する充電式のバッテリと、
前記バッテリを充電する充電回路と、
を有する内視鏡と、
光を含む電磁波を電気エネルギに変換するエネルギ変換手段と、
前記エネルギ変換手段によって変換された電気エネルギを、前記充電回路を介して前記バッテリを充電する充電エネルギ供給手段と、
を有することを特徴とする内視鏡装置。
【００６２】
２．内視鏡の先端部から光照射するための光源と、
この光源で光照射された被写体を撮像する撮像素子と、
この撮像素子からの電気信号を映像信号に変換する信号処理回路を持つ内視鏡装置において、
前記各構成部材の駆動電源として充電可能なバッテリからの直流電流を用いる事を特徴とする内視鏡装置。
３．付記２において、内視鏡の先端部に光照射された照射光の一部を反射させるための反射部材と、太陽電池とを相対した位置に設けた事を特徴とする内視鏡装置。
【００６３】
４．付記２において、バッテリにはトラカール先端に設けた太陽電池パネルから充電するための電気エネルギが供給される事を特徴とする内視鏡装置。
５．起電力発生のための制御信号を送受信するための送受信回路と、
この制御信号により、起電力を発生させる起電力発生手段を設けた事を特徴とする内視鏡装置。
６．付記５において、起電力発生手段は電磁トランスである事を特徴とする内視鏡装置。
【００６４】
７．体腔内の観察対象部位を撮像する撮像素子と、
この撮像素子で得られた前記観察対象部位の電気信号を映像信号に変換する信号処理回路と、
前記撮像素子及び信号処理回路に電力を供給する充電式のバッテリと、
前記バッテリを充電する充電回路と、
光を含む電磁波を電気エネルギに変換するエネルギ変換手段と、
前記エネルギ変換手段によって変換された電気エネルギを、前記充電回路を介して前記バッテリを充電する充電エネルギ供給手段と、
を内視鏡に設けたことを特徴とする内視鏡装置。
【００６５】
８．付記７において、前記エネルギ変換手段は前記内視鏡に設けた照明光の一部を受光して電気エネルギに変換する照明光／電気エネルギ変換手段である内視鏡装置。
９．付記７において、前記エネルギ変換手段は前記内視鏡の外部からの電磁波を受けて電気エネルギに変換する電気エネルギ生成手段である内視鏡装置。
１０．付記７において、前記内視鏡には前記映像信号が入力されることにより、前記撮像素子で撮像した観察対象部位の画像を低消費電力で表示する表示手段を有する内視鏡装置。
【００６６】
１１．付記７において、前記内視鏡には前記映像信号を電波で送信する送信手段を有し、該内視鏡の外部の受信装置に設けた表示手段により前記撮像素子で撮像した観察対象部位の画像を表示可能にした内視鏡装置。
１２．付記７において、前記内視鏡は、バッテリ２５による単位時間当たりの電気エネルギの消費量を変更して動作させる動作モード選択手段を有する。
【００６７】
【発明の効果】
以上説明したように本発明によれば、体腔内の観察対象部位を撮像する撮像素子と、
この撮像素子で得られた前記観察対象部位の電気信号を映像信号に変換する信号処理回路と、
前記撮像素子及び信号処理回路に電力を供給する充電式のバッテリと、
前記バッテリを充電する充電回路と、
を有する内視鏡と、
光を含む電磁波を電気エネルギに変換するエネルギ変換手段と、
前記エネルギ変換手段によって変換された電気エネルギを、前記充電回路を介して前記バッテリを充電する充電エネルギ供給手段と、
を設けているので、内視鏡検査を行う内視鏡装置を小型軽量で携帯性に優れ、また充電して繰り返しが可能なバッテリを採用することで経済性に優れた内視鏡装置を実現できる
【図面の簡単な説明】
【図１】本発明の第１の実施の形態の内視鏡装置の主要部の構成図。
【図２】パネル操作部での操作により内視鏡検査の環境に応じて選択設定できる動作モードの説明図。
【図３】本発明の第２の実施の形態における内視鏡の先端部の構造を示す図。
【図４】本発明の第３の実施の形態の内視鏡装置の主要部の構成図。
【図５】起電力発生部の具体的構成を示す図。
【図６】従来例の内視鏡装置の内視鏡の構成図。
【図７】従来例の受信装置を示す図。
【符号の説明】
１…内視鏡装置
２…内視鏡
３…トラカール
４、５…受信装置
６…挿入部
７…操作部
１１…ＬＥＤ
１２…照明レンズ
１３…ＬＥＤ駆動部
１４…被観察部
１５…対物レンズ
１６…ＣＣＤ
１８…ＣＣＤ駆動部
１９…信号処理部
２０…ＬＣＤ
２１…変調部
２２…送信部
２３…アンテナ
２４…電波
２５…（充電式の）バッテリ
２６…パネル操作部
２７…蓋
２８…充電端子
２９…充電器
３１…太陽電池パネル
３２…伝送線
３３…出力端
３４…接続線
３６…充電部
【図１】
0004276741.tif 000002
【図２】
0004276741.tif 000003
【図３】
0004276741.tif 000004
【図４】
0004276741.tif 000005
【図５】
0004276741.tif 000006
【図６】
0004276741.tif 000007
【図７】
0004276741.tif 000008